(57)【要約】  草刈機ヘッド（１）は、カッティングコード（Ｆ）の一端部に対する少なくとも一つ取出し孔（９Ａ）を備えた本体（３）を有し、カッティングコードの取出し孔に隣接して又は取出し孔の少なくとも一側に、カッティングコードを保護する半径方向突起部（１１）を有する。【選択図】    図１
2009507513.tif 000002
【特許請求の範囲】
【請求項１】
カッティングコードの端部に対する少なくとも一つ取出し孔を備えた本体と回転軸とを有する草刈機ヘッドにおいて、カッティングコードの上記取出し孔又は取出し孔の各々に隣接して上記取出し孔の少なくとも一側に、上記カッティングコードを保護する半径方向突起部を設けたことを特徴とするカッティングコードの保護装置を備えた草刈機ヘッド。
【請求項２】
上記半径方向突起部が、草刈機ヘッドの軸方向展開に対して取出し孔と同じ高さに配列されていることを特徴とする請求項１に記載のカッティングコードの保護装置を備えた草刈機ヘッド。
【請求項３】
上記本体が、好ましくはほぼ円筒状の周囲壁を備え、該周囲壁に少なくとも一つの孔が設けられ、上記半径方向突起部が、草刈機ヘッドの軸方向伸張部に対して取出し孔と同じ高さに配列されていることを特徴とする請求項１又は２に記載のカッティングコードの保護装置を備えた草刈機ヘッド。
【請求項４】
上記単数又は複数の半径方向突起部が接線方向翼形態をもち、その半径方向寸法がヘッドの本体への接続点からカッティングコードの端部に対する最大近接点に向かってのびていることを特徴とする請求項１〜３のいずれか一項に記載のカッティングコードの保護装置を備えた草刈機ヘッド。
【請求項５】
上記半径方向突起部が、取出し孔に隣接して少なくとも８ｍｍ、好ましくは１０ｍｍ、一層好ましくは１５ｍｍ又はそれ以上の半径方向寸法をもつことを特徴とする請求項１〜４のいずれか一項に記載のカッティングコードの保護装置を備えた草刈機ヘッド。
【請求項６】
上記取出し孔又は各取出し孔に、草刈機ヘッドの回転方向に対して孔の前方に設けられた単一半径方向突起部が組合わされていることを特徴とする請求項１〜５のいずれか一項に記載のカッティングコードの保護装置を備えた草刈機ヘッド。
【請求項７】
上記半径方向突起部が、ヘッドの本体の縁部から上記孔に隣接した最大突起点まで徐々に突起する曲線形状をもつことを特徴とする請求項１〜６のいずれか一項に記載のカッティングコードの保護装置を備えた草刈機ヘッド。
【請求項８】
上記半径方向突起部が、ヘッドの本体の縁部に沿って接線方向にのび、また上記のびる方向に沿ってヘッドの縁部に対する接続点からカッティングコードのそれぞれの取出し孔に隣接した最大半径方向突起点まで徐々にのびる半径方向寸法をもつことを特徴とする請求項７に記載のカッティングコードの保護装置を備えた草刈機ヘッド。
【請求項９】
上記半径方向突起部の外形が部分的に螺旋状であることを特徴とする請求項７又は請求項８に記載のカッティングコードの保護装置を備えた草刈機ヘッド。
【請求項１０】
上記半径方向突起部が上記孔に近接して、好ましくは半径方向表面で終端していることを特徴とする請求項７、請求項８又は請求項９に記載のカッティングコードの保護装置を備えた草刈機ヘッド。
【請求項１１】
上記半径方向突起部が取外しできることを特徴とする請求項１〜１０のいずれか一項に記載のカッティングコードの保護装置を備えた草刈機ヘッド。
【請求項１２】
上記半径方向突起部が、ヘッドの回転に対して半径方向外方へ向いた面にのびる歯を備えていることを特徴とする請求項１〜１１のいずれか一項に記載のカッティングコードの保護装置を備えた草刈機ヘッド。
【請求項１３】
上記少なくとも一つの半径方向突起部が、ヘッドの本体のまわりに取り付けできるリングに設けられていることを特徴とする請求項１〜１２のいずれか一項に記載のカッティングコードの保護装置を備えた草刈機ヘッド。
【請求項１４】
上記リングが、上記少なくとも一つのカッティングコードに対する単数又は複数の取出し孔に対応した孔を備えていることを特徴とする請求項１３に記載のカッティングコードの保護装置を備えた草刈機ヘッド。
【請求項１５】
上記少なくとも一つの半径方向突起部が、ヘッドの本体の取り外し可能な蓋に設けられていることを特徴とする請求項１〜１３のいずれか一項に記載のカッティングコードの保護装置を備えた草刈機ヘッド。
【請求項１６】
草刈機ヘッドのカッティングコードを保護する少なくとも一つの半径方向突起部を備えることを特徴とする草刈機ヘッドに取付けできるリング。
【請求項１７】
上記一つ又は複数の半径方向突起部に隣接して、カッティングコードに対する貫通孔が設けられていることを特徴とする請求項１５に記載のリング。
【請求項１８】
上記一つ又は複数の半径方向突起部が、リングの本質的に円筒状の表面に対する接続点と最大半径方向突起点とをもつ螺旋形状であることを特徴とする請求項１５又は請求項１６に記載のリング。
【発明の詳細な説明】
【技術分野】
【０００１】
本発明は、草刈機ヘッドの改良に関するものである。一層特に、本発明は、コードを備えた草刈機ヘッド、すなわちカッティング要素としてコードを用いる草刈機の改良に関する。
【背景技術】
【０００２】
趣味や専門レベルでのガーデニングにおいては、草やその他の植物を刈り取るために草刈機ヘッドが普通用いられており、カッティングコードをヘッドの本体から半径方向へ突出させ、ヘッドを高速で回転してカッティングコードに遠心力を作用させて植物を切断する。
【０００３】
この種のコードヘッドの例としては、以下の米国特許に記載されている。
米国特許第４，０９７，９９１号
米国特許第４，１０４，７９７号
米国特許第４，１４５，８０９号
米国特許第４，１６１，８２０号
米国特許第４，２５９，７８２号
米国特許第４，２０３，２１２号
米国特許第４，２７４，２０１号
米国特許第４，６５１，４２１号
米国特許第４，７３８，０８５号
米国特許第４，８０５，３０６号
米国特許第４，８１３，１４０号
米国特許第４，８２３，４６５号
米国特許第４，８８２，８４３号
米国特許第４，８９３，４１０号
米国特許第４，９４２，６６４号
米国特許第４，９５９，９０４号
米国特許第４，９８９，３２１号
米国特許第５，０１０，６４９号
米国特許第５，５２６，５７２号
米国特許第５，０９５，６８８号
米国特許第５，１３６，７８２号
米国特許第５，２９５，３０６号
米国特許第５，４９０，６４１号
米国特許第５，６５７，５４２号
米国特許第６，１４１，８７９号
米国特許第６，１６４，９６４号
米国特許第６，８５１，１９１号
【０００４】
これらのヘッドの使用中にしばしば最も大きな植物や花壇の縁部、石、土の固まり、あるいはその他のものに当って、ヘッドの本体から半径方向に突出するカッティングコードが突然プット切れることが起こる。これが起こると、コードは、出口孔すなわちヘッドの本体からコードの出ている筒部のところでしばしば切れる。カッティングコードの必要な長さを回復できるようにするためには、ヘッドを開けてコードの巻かれているリールからコードを繰り出なければ成らず、そうしないと、切れた後ヘッドの孔又は本体内に残っている自由端を取出すことができない。
【０００５】
幾つかの公知のヘッド（例えば上述の米国特許第４，９５９，９０４号及び米国特許第６，１４１，８７９号並びにその他）では、ヘッドの本質的に円形の本体のまわりに一つ又は二つのリング型縁部を設けて、ヘッドカバーを開く機能と、ある特定の場合にこれら二つのリング型縁部間でヘッドの本体の本質的に円筒状の側部から半径方向にのびるコードを少なくとも部分的に保護する機能との二つの機能をもたせている。多くの場合に、これらのリング型縁部は、ヘッドの本体からカッティングコードの出てくる部位におけるコードの切断を避け、それでコードがぶつかる障害物によって生じる切断はヘッドの外面から特定の半径方向距離において起こり、切断後にヘッド内にコードの自由端が留まるのを避けている。
【０００６】
しかし、この手段は、二つのリング型縁部間にそれ自体入り込む障害物のためにコードが切れる場合にはコードがヘッドの本体からの出口部位において再び切れ、従って（またコードがヘッド内に入り込む傾向があるために）コードの自由端が草刈機ヘッドの内部ハウジング内に消えるので、常に有効ではない。その結果、ヘッドの本体を開き、そしてコードを手で引き出して回復させること必要である。
【０００７】
米国特許第４，１１４，２６９号には、コードを備えた草刈機ヘッドが記載されており、カッティングコードの取出し孔は、ヘッドの回転軸線に平行な二つの直線縁部で包囲されている。前縁部即ちヘッドの回転方向に対して最も前方の縁部は液滴型の横断面をもち、すなわちカッティングスプールのハウジング本体の円筒状壁の残りの部分より厚く、上記壁にカッティングコードの取出し孔が設けられている。この形状は応力を低減しかつコードを加熱する目的をもつが、スプールハウジングにおけるコードの切断した端部の再取出しに関連した上記の問題点を解決できない。
【発明の開示】
【発明が解決しようとする課題】
【０００８】
本発明の目的は、上記の問題点を少なくとも部分的に解決又は限定する上記種類の草刈機ヘッド又は装置を提供することにある。
【０００９】
本質的に、本発明は、カッティングコードの端部に対する少なくとも一つ取出し孔を備えた本体と回転軸とを有する草刈機ヘッドにおいて、カッティングコードの上記取出し孔又は取出し孔の各々に隣接して上記取出し孔の少なくとも一側に、上記カッティングコードを保護する半径方向突起部を設けたことを特徴としている。突起部は、周囲の使用が異物に当たってコードが、コードの取出し孔の形成されている表面から十分に離れた距離のところで切れるのを保証し、コードの切れによって生じた自由端がヘッド本体内に引っ込み、それにより草刈作業を止めてヘッドを開いてコードの端を作業者に取出させる危険が避けられる。
【００１０】
特定の実施形態では、半径方向突起部は、草刈機ヘッドの軸方向展開に対して取出し孔と同じ高さに配列される。
【００１１】
可能な実施形態によれば、本体は、本質的に円筒状の表面を備え、該表面に少なくとも一つの孔が設けられ、またそれぞれの半径方向突起部は、孔に対して接線方向に距離を置いて円筒状の表面に形成される。
【００１２】
半径方向突起部は、取出し孔に隣接して少なくとも８ｍｍ、好ましくは少なくとも１０ｍｍ、例えば１５ｍｍ又はそれ以上の半径方向寸法をもつことができる。
【００１３】
可能な実施形態では、各取出し孔には、草刈機ヘッドの回転方向に対して孔の前方に設けられた単一半径方向突起部が組合わされる。
【００１４】
好ましい実施形態によれば、孔又は各孔と組合わさった半径方向突起部は、ヘッドの本体の縁部から上記孔に隣接した最大突起点まで徐々に突起する曲線形状をもち、ヘッドの回転方向と逆の方向に半径方向寸法は増大している。
【００１５】
半径方向突起部は、例えば、ヘッドの本体の縁部に沿って接線方向にのびることができ、またこのびる方向に沿って半径方向寸法はヘッド本体に沿った接続部位から始まってカッティングコードの取出し孔に隣接した最大半径方向突起点まで徐々にのびる。例えば、記半径方向突起部の外形は螺旋状であることができる。 
【００１６】
半径方向突起部は孔に近接して、ほぼ半径方向の表面を備えることができる。
【００１７】
本発明の非限定実施形態を示す添付図面及び以下の説明から本発明はより一層理解される。
【発明を実施するための最良の形態】
【００１８】
最初に図１〜図３を参照すると、本発明による草刈機ヘッドは１で示されている。このヘッド１は本体３を備え、本体３は、例えば、スナップ嵌め、ネジ止め、溶着或いはその他の適当な手段によって互いに結合された、例えば必ずではないが、二つの部分３Ａ、３Ｂで構成され得る。Ａ−Ａはヘッドの回転軸線を表し、ヘッドの取付けられる草刈機（図示していない）のモータ軸の軸線と一致している。図示例では、ヘッドは、モータ軸のネジ孔に係合するネジ付きロッド５を備えているが、ヘッドの軸への取付け手段は別の種類のものでも良いことが理解されなければならない。
【００１９】
本体３を形成する二つの部分３Ａ、３Ｂの間において本体３で画定したハウジングにはヘッド１内にスプール又は多数のスプールが配置されている。当業者に知られているように、一つ又は複数のスプールには一本以上のカッティングコードが巻かれている。図示例では、ヘッド１内に装填した図していない一つ又は複数のスプールに巻かれた二本のカッティングコードの二つの端部Ｆ１、Ｆ２は、カッティングヘッド１が取出されている。ヘッド１内に収容されたカッティングコードの数は異なっても良いことが理解される。例えば、単一カッティングコードが可能であり、草刈機ヘッドから二つの端部を突出させて取付けることができ、或いは三本又は四本或いはそれ以上のカッティングコードも可能である。それ自体公知の仕方で、ヘッド１には、カッティングコードを伸ばしたり、ヘッドの外側へ突出して草刈機ヘッドのカッティング部分となるコードの量を戻したりする手段が設けられ得る。
【００２０】
図示例では、この目的のために、ヘッド１は突起した下方ボタン７を備え、このボタン７は使用中、ヘッドの取付けられる草刈機の同一把持部を用いて地面にヘッドを押し付けることによって、押され得る。ボタン７を繰り返し押すことによって、一本又は複数の本のコードの巻かれる一つ又は複数のスプールのプリセットストロークの回転が生じ、カッティングコードの突出端部又は部分Ｆ１、Ｆ２の最初の長さを長くしたり回復させたりできる。この長さを長くする機構は図示されてなく、当業者に知られた任意の機構でもよく、例えば、背景技術の欄において挙げた特許文献に記載されたものでもよい。代わりに、コードの短縮によって生じる回転速度の一時的変動を用いて自動的にヘッドから突出するカッティングコードの長さを回復させる自動長さ調節機構が使用でき、回転速度の一時的変動に長さを調節する遠心システムが応動する。他の可能な実施形態では、長さを長くするのは、本体３の二つの部分３Ａ、３Ｂに手動で作用することによって得ることができる。長さを長くする方法は、本発明の目的に必須のものではなく、任意の公知の方法を用いることができる。
【００２１】
カッティングコードの端部Ｆ１、Ｆ２は草刈機ヘッド１の本体３の部分３Ａに固定された例えば金属製のそれぞれのブッシュ（筒孔）９を通ってヘッドの本体３から引き出す。各ブッシュ９はカッティングコードの取出し孔９Ａを備えている。この取出し孔９Ａはヘッドの軸方向広がりすなわち高さＨに沿って中間位置に配置されている。
【００２２】
カッティングコードの取出し孔９Ａの設けられる軸方向位置に対応して、本発明による本体３の部分３Ａの横方向外壁には、突起部１１が設けられ、突起部１１は輪郭形状をもっている。一層特に、図１に示すように、二つの突起部の各々は、螺旋状部分の形状に展開した曲線形状１１Ａをもつ。この形状では、突起部１１は本質的に本体３の外部円筒状面に殆ど接線方向の接続点１１Ｂから始まって半径方向最大突起点１１Ｃまでのびている。半径方向最大突起点１１Ｃにおいて突起部１１は１１Ｄで示した表面を備え、この表面１１Ｄは、ヘッドの回転軸線Ａ−Ａを含む本質的に半径方向の平面にのびている。図示例では、突起部１１はコードの直径より大きな厚さｓ（図２及び図３）をもちそして有利にはカッティングコードの取出し孔９Ａの直径に等しいか又はそれより僅かに大きい。コードの幅より小さい厚さ又は取出し孔の直径より大きな幅をもつ突起部を用いることは除外されない。
【００２３】
さらに、各突起部１１は、本体３の本質的に円筒状の表面に対して長さＲ半径方向へ突出している。寸法Ｒは、例えば５〜２０ｍｍ、好ましくは５〜１５ｍｍ、一層好ましくは８〜１３ｍｍ、例えば約１０ｍｍの範囲で変動できる。
【００２４】
可変半径方向寸法をもつ接線方向翼を本質的に形成する、このサイズの突起部では、カッティングコードの二つの端部Ｆ１、Ｆ２の各々の適切な保護が突起部１１によって得られ、それぞれのブッシュ９の取出し孔９Ａの近くでカッティングコードが切れるのを阻止している。実際に、ヘッド１が植物を刈り取るために、矢印Ｆ（図１）で示す方向に回転する際に、回転方向においてそれぞれのカッティングコードの前方に位置した突起部１１は、草刈機ヘッド１の本体３の円筒状の表面から一本又は複数本のカッティングコードの高さにおける障害物の徐々に離れさせる。石や固まった土の固まり、特別の硬い植物などであるこれらの障害物は、突起部11の少なくとも半径方向寸法Ｒに等しい取出し孔９Ａからの距離において、カッティングコードの端部Ｆ１、Ｆ２に当たる。
【００２５】
その結果、コードＦ１又はＦ２の切断は、難なく、草刈機ヘッド１からカッティングコードの新たな部分を分配するのに十分な距離Ｒにおいて起き得、それによりカッティングコードの切断端部はヘッドの外側に突出し、従来型のヘッドでしばしば生じるものと違って本体３の内部から取り戻すことができる。
【００２６】
突起部１１が螺旋状（外形１１Ａ）であることによって、ヘッドにおける機械的な衝撃応力の制限及び正常な動作が保証される。しかし、尖った例えば段状の突起部１１の可能性は除外される。例えば草刈機ヘッド１を両方向に回転できるように、各ブッシュ９すなわち取出し孔９Ａの両側に突起部１１を設けることも可能である。
【００２７】
突起部１１は、草刈機ヘッド１の本体３を構成する材料と同じ材料で成形でき、そして（この特定の実施形態では）本体３の部分３Ａと一体に構成できる。これらの突起部１１を、例えばヘッドの本体３を形成する材料と異なる材料で、挿入体として構成するこの可能性は除外されない。
【００２８】
例えば、ヘッド本体３は成形合成樹脂で作ることができ、一方、突起部１１は金属、例えばアルミニウム、又は鋳造を含む他の材料で作ることができるが、いずれの場合も本体３の基材の強度より大きな強度をもつ材料が用いられ得る。この場合、突起部１１は、樹脂を本体３の部分３Ａに注入する成形体内に挿入される挿入体として作ることができる。
【００２９】
さらに、例えばネジ、ピン、スナップ嵌め、ダップ、フックなどで草刈機ヘッド１の本体３に固定される交換可能な付加的要素を備えて突起部１１を作ることも可能である。この場合、突起部１１は壊れたり擦り切れた場合に交換され得る。これらの突起部はまた草刈機ヘッド１の動作寿命を延ばす草刈機ヘッド１に対する機械的保護手段として機能する。
【００３０】
図４に示す実施形態では、図１の部品と同じ又は同等の部品は同じ番号で示し、図示解決法では、突起部１１の螺旋状表面形状１１ａは波型であり、すなわちＤで示す歯形をなしている。この歯形部Ｄは障害物を破砕し、突起部１１は、回転中に草刈機ヘッド１の表面すなわち横方向円筒状側部から徐々に離れる。これらの障害物が通常の植物より硬い植物である場合には、歯形部Ｄは、カッティングコードの半径方向突出部分Ｆ１、Ｆ２の一方又は他方に当たる前にこの植物を破砕する。歯形部Ｄで生じる切断が全部でないとしても、この植物に当たるカッティングコードは部分的に切れ、その結果、過剰な応力を受けることなく従って切断することなく完全にその植物を切断することができる。
【００３１】
この場合、歯付き突起部１１はヘッドの本体３を構成する基材で、或いは異なる材料で作ることができ、そしてできれば交換できる。
【００３２】
図５には、本発明による草刈機ヘッドの別の実施形態を示す。前の実施形態における部品と同じ又は対応する部品は同一参照番号で示す。この場合、草刈機ヘッド１は、本質的に円筒状の周囲壁を備えた主本体３を有し、円筒状の周囲壁には別個のコードから成るカッティングコードＦ１、Ｆ２、又はヘッド１内のスプールに巻かれた図示していない同じコードの異なる部分に対する通し孔９Ａを備えたブッシュ９が挿置されている。この場合、符号１１で示す周囲突起部はヘッド１の本体３の円筒状の表面に形成されず、金属材料、合成樹脂又は他の適当な材料のリング１２に形成される。突起部１１を備えたリング１２はヘッド１に及び一層特にヘッドの本体３の部分３Ａに直にしかも反転可能に設けられ得る。
【００３３】
図７において、突起部１１を備えたリング１２はヘッド１から分離して示されている。リング１２は、突起部１１の他に、（リングをヘッド１に装着した時）ブッシュ９及び取出し孔９Ａと一致する通し孔１４を備え、カッティングコードＦ１、Ｆ２を通すようにしている。
【００３４】
リング１２は図８の平面図および図９の斜視図に分離して示されている。リングは既存のヘッドを改良ししかも図１〜図４を参照して説明してきた機能及び利点を持たせるために既存のヘッドに装着されるように別個に構成され提供され得る。リング１２の内径はヘッドの本体３の部分３Ａの本質的に円筒状の表面に、ある程度干渉しあって結合するように適当にサイズ決めされ得る。さらに、リング１２の孔１４へブッシュ９を通すことにより固着され得る。
【００３５】
図１０及び図１１には、本発明による別の実施形態を示している。前の実施形態における部品と同じ又は対応する部品は同一参照番号で示す。この場合、螺旋状外形１１Ａを備えた突起部１１は、別個に構成され、そしてヘッドの本体３に取付けられ、  必要に応じて交換できるようにされる。このため、各突起部１１は表面１１Ｄに隣接して前方歯部１０１を備えている。歯部１０１は溝１０１Ａを備え、ヘッド１の本体３の本質的に円筒状の部分３Ａにおけるスロット１０２のアンダーカット１０２Ａに係合される。歯部１０１における通し孔１０３及び通し孔１０４は、本体３の３Ａの円筒状側部の下方縁部からスロット１０２へ通じ、上記孔１０３、１０４に挿入したプラグ又はピンによって突起部１１を固定する。反対側の端部には、突起部１１の部位１１Ｂに相対して、レリーフ１０５が設けられ、このレリーフ１０５は本体３の側部３Ａの円筒状壁に形成したスロット１０６内にそれ自体挿入される。
【００３６】
図１２には、図１０のヘッドに等しいヘッドを示しているが、突起部１１は本体３の部分３Ａの一部として、本体３の基材と同じ又は異なる材料で構成されている。
【００３７】
図１３及び図１４には、本発明の別の実施形態を示している。前の実施形態における部品と同じ又は等価の部品は同一参照番号で示す。コードを保護する接線方向翼の形態の突起部１１は、この場合、ヘッド１の本体３の下方部分３Ｂの一体部分として構成される。この下方部分は、ヘッドの閉じ蓋を形成し、図１４に分離して示されている。コードＦ１、Ｆ２の通るブッシュ９に対応した位置に蓋３Ｂ円筒状のリング型縁部に沿って設けた溝１４はカッティングコードの取出し孔と干渉せずに組立できるようにしている。
【００３８】
図面は単に本発明の実施例としてのみの例を示しており、本発明の概念から範囲から逸脱することなしに、形状及び構成を変更できることが理解される。特許請求の範囲における参照番号は明細書及び図面を参照して特許請求の範囲を読む際に容易にするものであって特許請求の範囲で表される保護の範囲を限定するものではない。
【図面の簡単な説明】
【００３９】
【図１】第１の実施形態における本発明による草刈機ヘッドの平面図。
【図２】図１の矢印II-IIに沿った側面図。
【図３】図１の矢印III-IIIに沿った側面図。
【図４】本発明によるヘッドの変更し改良した実施形態を示す、図１と同様な平面図。
【図５】ヘッド本体に取付けたリングに突起部を設けた異なる実施形態における本発明による草刈機ヘッドの斜視図。
【図６】図５の矢印VI-VIに沿った側面図。
【図７】草刈機ヘッドの本体からリングをはずした状態の図５の草刈機ヘッドの斜視図。
【図８】突起部を備えたリングの平面図。
【図９】図８のリングの斜視図。
【図１０】別の実施形態における本発明による草刈機ヘッドの平面図。
【図１１】図１０のヘッド本体の主要部分を下から見た斜視図。
【図１２】本発明の別の実施形態の斜視図。
【図１３】本発明のさらに別の実施形態を閉じた状態で示す斜視図。
【図１４】本発明のさらに別の実施形態を開いた状態で示す斜視図。
【図１】
2009507513.tif 000003
【図２】
2009507513.tif 000004
【図３】
2009507513.tif 000005
【図４】
2009507513.tif 000006
【図５】
2009507513.tif 000007
【図６】
2009507513.tif 000008
【図７】
2009507513.tif 000009
【図８】
2009507513.tif 000010
【図９】
2009507513.tif 000011
【図１０】
2009507513.tif 000012
【図１１】
2009507513.tif 000013
【図１２】
2009507513.tif 000014
【図１３】
2009507513.tif 000015
【図１４】
2009507513.tif 000016
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
取出し孔を持つ少なくとも一つのブッシュを備えた本体と回転軸とを有し、ブッシュを介してカッティングコードの端部が上記本体から出ており、上記本体が上記カッティングコードに対する少なくとも一つのスプールを備えている草刈機ヘッドにおいて、カッティングコードの出てくる前記ブッシュ又は各ブッシュに隣接して及び前記ブッシュの少なくとも一側に、上記カッティングコードを保護する半径方向突起部を設けたことを特徴とする草刈機ヘッド。
【請求項２】
上記半径方向突起部が、草刈機ヘッドの軸方向展開に対して取出し孔と同じ高さに配列されていることを特徴とする請求項１に記載の草刈機ヘッド。
【請求項３】
上記本体が、好ましくはほぼ円筒状の周囲壁を備え、該周囲壁に、相応した取出し孔を備えた少なくとも一つのブッシュが設けられ、上記半径方向突起部が、上記取出し孔からある距離において上記周囲壁に配列されていることを特徴とする請求項１又は２に記載の草刈機ヘッド。
【請求項４】
上記単数又は複数の半径方向突起部が接線方向翼形態をもち、その半径方向寸法がヘッドの本体への接続点からカッティングコードの端部に対する最大近接点に向かってのびていることを特徴とする請求項１〜３のいずれか一項に記載の草刈機ヘッド。
【請求項５】
上記半径方向突起部が、取出し孔に隣接して少なくとも８ｍｍ、好ましくは少なくとも１０ｍｍ、一層好ましくは１５ｍｍ又はそれ以上の半径方向寸法をもつことを特徴とする請求項１〜４のいずれか一項に記載の草刈機ヘッド。
【請求項６】
上記取出し孔又は各取出し孔に、草刈機ヘッドの回転方向に対して孔の前方に設けられた単一半径方向突起部が組合わされていることを特徴とする請求項１〜５のいずれか一項に記載の草刈機ヘッド。
【請求項７】
上記半径方向突起部が、ヘッドの本体の縁部から上記孔に隣接した最大突起点まで徐々に突起する曲線形状をもつことを特徴とする請求項１〜６のいずれか一項に記載の草刈機ヘッド。
【請求項８】
上記半径方向突起部が、ヘッドの本体の縁部に沿って接線方向にのび、また上記のびる方向に沿ってヘッドの縁部に対する接続点からカッティングコードのそれぞれの取出し孔に隣接した最大半径方向突起点まで徐々にのびる半径方向寸法をもつことを特徴とする請求項７に記載の草刈機ヘッド。
【請求項９】
上記半径方向突起部の外形が部分的に螺旋状であることを特徴とする請求項７又は請求項８に記載の草刈機ヘッド。
【請求項１０】
上記半径方向突起部が上記孔に近接して、好ましくは半径方向表面で終端していることを特徴とする請求項７、請求項８又は請求項９に記載の草刈機ヘッド。
【請求項１１】
上記半径方向突起部が取外しできることを特徴とする請求項１〜１０のいずれか一項に記載の草刈機ヘッド。
【請求項１２】
上記半径方向突起部が、ヘッドの回転に対して半径方向外方へ向いた面にのびる歯を備えていることを特徴とする請求項１〜１１のいずれか一項に記載の草刈機ヘッド。
【請求項１３】
上記少なくとも一つの半径方向突起部が、ヘッドの本体のまわりに取付けできるリングに設けられていることを特徴とする請求項１〜１２のいずれか一項に記載の草刈機ヘッド。
【請求項１４】
上記リングが、上記少なくとも一つのカッティングコードに対する単数又は複数の取出し孔に対応した孔を備えていることを特徴とする請求項１３に記載の草刈機ヘッド。
【請求項１５】
上記少なくとも一つの半径方向突起部が、ヘッドの本体の取り外し可能な蓋に設けられていることを特徴とする請求項１〜１２のいずれか一項に記載の草刈機ヘッド。
【請求項１６】
上記突起部が、ヘッドの本体を形成している材料と異なる材料で構成した挿入体で形成されていることを特徴とする請求項１〜１５のいずれか一項に記載の草刈機ヘッド。
【請求項１７】
上記突起部が、ヘッドの本体を形成している基材の強度より高い強度の材料で構成されていることを特徴とする請求項１６に記載の草刈機ヘッド。
【請求項１８】
ヘッドの上記本体が成形合成樹脂で構成され、また上記突起部が金属で構成されていることを特徴とする請求項１６に記載の草刈機ヘッド。
【請求項１９】
上記ヘッドの本体が互いに結合した二つの部分を備え、上記部分が上記少なくとも一つのスプールを収容し、また上記少なくとも一つのブッシュ及び相応した突起部が上記二つの部分の一方に設けられていることを特徴とする請求項１〜１８のいずれか一項に記載の草刈機ヘッド。
【請求項２０】
草刈機ヘッドのカッティングコードを保護する少なくとも一つの半径方向突起部を備えることを特徴とする草刈機ヘッドに取付けできるリング。
【請求項２１】
上記一つ又は複数の半径方向突起部に隣接して、カッティングコードに対する通し孔が設けられていることを特徴とする請求項２０に記載のリング。
【請求項２２】
上記一つ又は複数の半径方向突起部が、リングの本質的に円筒状の表面に対する接続点と最大半径方向突起点とをもつ螺旋形状であることを特徴とする請求項２０又は請求項２１に記載のリング。
【国際調査報告】
2009507513.tif 000017
2009507513.tif 000018